(57)【要約】【課題】上蓋内に付着している液状内容物が外部に漏れず、消費者の多様な使用によっても、容器内の液状内容物が外部に漏れず、周囲を汚さないヒンジキャップを提供する。【解決手段】キャップ本体１０の注出筒１４のヒンジ連結部側上端部が径方向外方に突出した嘴部１８を形成し、且つ、上蓋２０のインナーリング２３の先端のヒンジ連結部３０側に延出部２４を設けてなり、キャップ本体１０に対して上蓋２０を約９０度開けた際、延出部２４がキャップ本体１０の嘴部１８の内側に位置して、上蓋２０のインナーリング２３内に付着した液状内容物４を外部に漏れないようにしたことで、消費者による多様な使用に対しても、インナーリング２３内に付着している液状内容物４が外部に漏れ出ず、容器２内の液状内容物４も外部に漏れ出ることが無く、周囲を汚すことがない。【選択図】図５
2010173698.tif 000002
【特許請求の範囲】
【請求項１】
キャップ本体と上蓋とをヒンジ連結部により開閉自在に連結し、
前記キャップ本体は、天面と該天面の周縁から垂下し容器の口部に嵌合固定するスカート壁とで構成され、前記天面に、開口予定部及び該開口予定部を囲繞する注出筒を形成すると共に、該注出筒より外側に前記上蓋を閉栓固定する外側壁を形成してなり、
前記上蓋は、天板と該天板の周縁から垂下する側壁とで構成され、前記天板に、これから垂下し前記キャップ本体の注出筒の内面に当接しシールするインナーリングを形成してなる、ヒンジキャップにおいて、
前記注出筒の前記ヒンジ連結部側上端部が径方向外方に突出した嘴部を形成し、且つ、前記上蓋のインナーリングにおける先端の前記ヒンジ連結部側に延出部を設けてなり、
前記キャップ本体に対して前記上蓋を約９０度開けた際、前記上蓋の前記延出部が前記キャップ本体の前記嘴部の径方向内側に位置して、前記上蓋のインナーリング内に付着した液状内容物が容器外部に漏れないようにしたことを特徴とするヒンジキャップ。
【請求項２】
前記キャップ本体のスカート壁に上蓋保持凸部を設けて、前記上蓋を前記キャップ本体に対して約９０度開けた際、前記保持凸部と前記上蓋側壁の下部が摺接して上蓋が開蓋状態を保持するようにした請求項１記載のヒンジキャップ。
【請求項３】
前記上蓋保持凸部の上面は径方向外方且つ上方に傾斜した傾斜面である請求項２記載のヒンジキャップ。
【発明の詳細な説明】
【技術分野】
【０００１】
本発明は、液状内容物を充填した容器の口部に装着し、開封後上蓋のインナーリング内に付着した液状内容物を外部に漏れないようにしたヒンジキャップに関するものであり、より詳しくは、キャップ本体の注出筒における先端周面を平坦に形成すると共に、注出筒のヒンジ連結部側上端部が径方向外方に突出した嘴部を形成し、且つ、上蓋のインナーリングにおける先端のヒンジ連結部側に延出部を設けてなり、キャップ本体に対して前記上蓋を約９０度開けた際、上蓋の延出部がキャップ本体の嘴部の径方向内側に位置して、上蓋のインナーリング内に付着した液状内容物が容器外部に漏れないようにしたヒンジキャップに関する。
【背景技術】
【０００２】
ヒンジキャップは、キャップ本体と上蓋とがヒンジ連結部により連結され、その開閉自在性に加えて易開封性も付与されて利便性を高められていることから、調味料や天然果汁などの液状内容物を収容する容器に多く使用されている。すなわち、このヒンジキャップは、キャップ本体を容器口部に打栓して液密にすると共に、容易に外れないようにして液密状態を維持し、更に、スコア切裂用タブにより上記易開封性を実現して、上記ヒンジ連結にて上蓋を開閉自在にしている。また、ヒンジ連結のまま、キャップ本体を容器口部に螺着脱出来るものもある。
【０００３】
上記ヒンジキャップでは、開封後に、上蓋のインナーリング内に容器の収容物である液状内容物が付着していることが多く、上蓋を開けた際、その液状内容物がインナーリング内から垂れ出して周囲を汚すことになる。このような現象を抑える技術として、下記のものが知られている。
【先行技術文献】
【特許文献】
【０００４】
【特許文献１】特許第４１６５６３１号公報
【特許文献２】実用新案登録第２５４６１３７号公報
【０００５】
上記特許文献１のヒンジキャップは、図６に示すように、液状内容物を注出する注出筒５０及びその外側にシール筒５１をそれぞれ立設し、容器の口部５２に密に組み付くキャップ本体５３と、このキャップ本体５３の端部にヒンジ連結部５４により連結し天板５５の内面にシール筒５１に密に嵌入するインナーリング５６を設けた上蓋５７と、からなり、上蓋５７のインナーリング５６におけるヒンジ連結部５４側に樋片５８を形成すると共に、キャップ本体５３の注出筒５０におけるヒンジ連結部５４側に、上蓋５７を開いた際上記の樋片５８が進入可能な縦穴５９を設け、さらに、この縦穴５９の上端に樋片５８を係止し保持して、上蓋５７を所定の前傾姿勢にする係止部６０を設けてなるものである。これにより、上蓋５７を開けると係止部６０により上蓋５７を所定の前傾姿勢に保持して、上蓋５７のインナーリング５６内に付着している液状内容物は、樋片５８を通り注出筒５０内を落下して容器内に回収される。
【０００６】
上記特許文献２のヒンジキャップは、図７に示すように、液状内容物を注出する注出筒５０及びその外側にシール筒５１をそれぞれ立設したキャップ本体５３と、このキャップ本体５３の端部にヒンジ連結部５４により連結しシール筒５１に密に嵌入するインナーリング５６を設けた上蓋５７と、からなり、この上蓋５７のインナーリング５６におけるヒンジ連結部５４側に、キャップ本体５３の注出筒５０の内側に向かって延出した舌片６１を設け、且つ、注出筒５０のヒンジ連結部５４側に段差部６２を設けてあり、この舌片６１は、その外面が上蓋５７を開ける途中で注出筒５０の段差部６２の上縁に当接・係止するように形成されている。これにより、上蓋５７を開けると、その途中で舌片６１が段差部６２の上縁に当接・係止して、上蓋５７のインナーリング５６内に付着している液状内容物は舌片６１に案内されて注出筒５０内を落下して容器内に回収される。
【発明の概要】
【発明が解決しようとする課題】
【０００７】
上記各特許文献のヒンジキャップは、いずれも上蓋５７のインナーリング５６におけるヒンジ連結部５４側に、樋片５８や舌片６１を形成すると共に、上蓋５７からの液垂れを防止するために、特許文献１のヒンジキャップでは注出筒５０に縦穴５９を設けている。したがって、上記各特許文献１のヒンジキャップは、出願人あるいは発明者が想定した通りに消費者が使用してくれれば、上蓋５７のインナーリング５６内に付着している液状内容物は、樋片５８や舌片６１を通り、注出筒５０内を経由して容器内に回収され、縦穴５９や段差部６２から容器内の液状内容物が外部に漏れ出ることはない。
【０００８】
しかしながら、特許文献１のヒンジキャップでは、例えば、容器内の液状内容物を均質にするために、回し振りしながら液状内容物を注ぎ出したり、横向き、すなわち、ヒンジ５４側と反ヒンジ側とを結ぶ直線に対して９０度前後の角度にて液状内容物を注ぎ出したりすると、上蓋５７のインナーリング５６内に付着している液状内容物が外部に漏れ出ることがないとしても、縦穴５９から容器内の液状内容物が外部に漏れ出て、周囲を汚すことになる。
【０００９】
また、特許文献２のヒンジキャップでは、注出筒５０のヒンジ側段差部６２が外方に突出していないため、上蓋を開けた状態で舌片６１の先端から液状内容物が外部に漏れ出ることがある。
【００１０】
そこで、本発明の目的は、消費者による多様な使用形態によっても、上蓋のインナーリング内に付着している液状内容物が容器外部に漏れないばかりでなく、容器内の液状内容物も容器外部に漏れず、周囲を汚すことのないヒンジキャップを提供することにある。
【課題を解決するための手段】
【００１１】
本発明は、上記目的を達成するために提案されたものであって、下記の構成からなることを特徴とするものである。
すなわち、本発明によれば、キャップ本体と上蓋とをヒンジ連結部により開閉自在に連結し、
前記キャップ本体は、天面と該天面の周縁から垂下し容器の口部に嵌合固定するスカート壁とで構成され、前記天面に、開口予定部及び該開口予定部を囲繞する注出筒を形成すると共に、該注出筒より外側に前記上蓋を閉栓固定する外側壁を形成してなり、
前記上蓋は、天板と該天板の周縁から垂下する側壁とで構成され、前記天板に、これから垂下し前記キャップ本体の注出筒の内面に当接しシールするインナーリングを形成してなる、ヒンジキャップにおいて、
前記注出筒の前記ヒンジ連結部側上端部が径方向外方に突出した嘴部を形成し、且つ、前記上蓋のインナーリングにおける先端の前記ヒンジ連結部側に延出部を設けてなり、
前記キャップ本体に対して前記上蓋を約９０度開けた際、前記上蓋の前記延出部が前記キャップ本体の前記嘴部の径方向内側に位置して、前記上蓋のインナーリング内に付着した液状内容物が容器外部に漏れないようにしたことを特徴とするヒンジキャップが提供される。
【００１２】
また、本発明によれば、 前記キャップ本体のスカート壁に上蓋保持凸部を設けて、前記上蓋を前記キャップ本体に対して約９０度開けた際、前記保持凸部と前記上蓋側壁の下部が摺接して上蓋が開蓋状態を保持するようにした上記ヒンジキャップが提供される。
【００１３】
また、本発明によれば、前記上蓋保持凸部の上面は径方向外方且つ上方に傾斜した傾斜面である上記ヒンジキャップが提供される。
【発明の効果】
【００１４】
本発明のヒンジキャップは、キャップ本体に対して上蓋を約９０度開けた際、上蓋の延出部がキャップ本体の嘴部の径方向内側に位置しているから、上蓋のインナーリング内に付着した液状内容物は、延出部に案内され嘴部を経由して注出筒から容器内に流れ落ちる。一方、キャップ本体の注出筒のヒンジ連結部側上端部が径方向外方に突出した嘴状に形成され、且つ、上蓋のインナーリングにおける先端のヒンジ連結部側に延出部が設けられているため、上蓋のインナーリング内に付着している液状内容物が外部に漏れ出ることが無く、周囲を汚すことがない効果がある。
【００１５】
また、本発明のヒンジキャップは、上蓋をキャップ本体に対して約９０度開けると、スカート壁に設けた上蓋保持凸部に上蓋側壁の下部が当たり、そのまま停止して開蓋状態を保持する。したがって、上記の効果に加えて、上蓋をキャップ本体に対して約９０度開けた状態で保持でき、上蓋のインナーリング内に付着している液状内容物がスムーズに容器内に流れ落ち、且つ、容器内の液状内容物を他の容器に移し易くなる効果がある。
【００１６】
また、本発明のヒンジキャップは、上蓋を開ける際傾斜面により徐々に負荷が増して行き、消費者は自ずと上蓋の適切な開度、例えば約９０度を自覚でき、そこで開けるのを止めることができる。したがって、上記の効果に加えて、適切な任意の角度で上蓋を開けるのを止めることができるとともに、上蓋内に付着している液状内容物を確実に容器内に流れ落とすことが出来、且つ、必要以上の角度まで無理開けするのを防止出来る効果がある。
【図面の簡単な説明】
【００１７】
【図１】実施例１に示した本発明の実施の形態を示すヒンジキャップを容器の口部に打栓した状態の縦断面図である。
【図２】図１のヒンジキャップを完全に開いた状態の平面図である。
【図３】図１のヒンジキャップを完全に開いた状態の縦断面図である。
【図４】図１のヒンジキャップの使用状態を示す縦断面図である。
【図５】図４のヒンジキャップの要部の拡大縦断面図である。
【図６】従来例を示す縦断面図である。
【図７】従来例を示す斜視図である。
【発明を実施するための形態】
【００１８】
以下に、図面を参照して本発明を実施するための形態を説明する。
【実施例１】
【００１９】
図１は本発明の実施の形態を示すヒンジキャップを容器の口部に打栓した状態の縦断面図、図２は同ヒンジキャップを完全に開いた状態の平面図、図３は同ヒンジキャップを完全に開いた状態の縦断面図である。
これらの図面において、ヒンジキャップ１は、キャップ本体１０と、上蓋２０とをヒンジ３０により開閉自在に連結したものであり、前記キャップ本体１０は、天面１１とこの天面１１の周縁から垂下し容器２の口部３に嵌合固定するスカート壁１２とで構成され、天面１１に、開口予定部１３及びこの開口予定部１３を囲繞する注出筒１４を形成すると共に、この注出筒１４より外側に上蓋２０を閉栓固定する外側壁１５を形成してなり、前記上蓋２０は、天板２１とこの天板２１の周縁から垂下する側壁２２とで構成され、この天板２１に、これから垂下し前記キャップ本体１０の注出筒１４の内面に当接するインナーリング２３を形成してなるものであり、使用時に開口予定部１３を取り除いた後、再び上蓋をキャップ本体に被せた状態で、このインナーリング２３が注出筒１４に当接することにより、容器内をシールするものである。
【００２０】
前記ヒンジキャップ１を装着する容器２は、その口部３にキャップ本体１０を打栓あるいは螺着できるものであれば特に限定がなく、どのようなタイプ、材質でも良い。この実施例１では、特に調味料などの頻繁に小出しするものに利用して、上蓋２０による開閉が比較的多く行われる容器の例を示している。
【００２１】
前記キャップ本体１０は、その天面１１の下に、スカート壁１２及び内筒１６が設けられて嵌合部分１７が形成され、この嵌合部分１７に容器２の口部３をあてがい打栓することで液密にする。更に、既述のとおり、キャップ本体１０に上蓋２０がヒンジ連結部３０を介して連結されているから、上蓋２０はヒンジ連結部３０を中心として回動自在となっている。そして、前記注出筒１４より外側の天面１１上には、前述のとおり、外側壁１５が設けられているから、仮に注出筒１４から液だれがあっても、外側壁１５から直ちに外部にこぼれ出ることがない。
【００２２】
そして、図４及び図５から明らかなように、キャップ本体１０の注出筒１４におけるヒンジ連結部側上端部１４ａが径方向外方に突出した嘴状に形成された嘴部１８を形成し、且つ、上蓋２０のインナーリング２３における先端のヒンジ連結部３０側に延出部２４が設けられているため、上蓋２０のインナーリング２３内に付着している液状内容物が外部に漏れないようになっている。
【００２３】
また、キャップ本体１０のスカート壁１２上端でヒンジ連結部３０の両側に上蓋保持凸部１９を設けて、上蓋２０をキャップ本体１０に対して約９０度開けた際、上蓋２０側壁下端部が上蓋保持凸部１９に当たり停止して、上蓋２０をキャップ本体１０に対して約９０度開けた状態で保持できるようになっていて、上記したように、上蓋２０の延出部２４がキャップ本体１０の嘴部１８の径方向内側に位置することを保証して、上蓋２０のインナーリング２３内に付着している液状内容物４がスムーズに容器２内に流れ落ち、且つ、容器２内の液状内容物４を他の容器に移し易い。
【００２４】
なお、この上蓋保持凸部１９は、その上面が径方向外方且つ上方に傾斜した傾斜面１９ａになっているから、消費者が手指などで上蓋２０を開けると、傾斜面１９ａにより徐々に手指に掛かる負荷が増して行き、消費者は自ずと上蓋２０の適切な開度、例えば約９０度を自覚することが出来、それ以上開けるのを止めるようになる。したがって、キャップ本体１０のスカート壁１２に設けられた上蓋保持凸部１９により、程良い角度で上蓋２０を開けるのを止め、上蓋２０のインナーリング２３内に付着している液状内容物４を延出部２４により案内して、確実に容器２内に流れ落とすことが出来る。その上、あまり必要性が無いのに無理開けするのを防止出来、仮に、上蓋２０を約９０度より大きく無理開けしても、液状内容物４は、インナーリング２３内及び延出部２４上に留まることになり、外部にこぼれ落ちることはない。
【００２５】
前記注出筒１４の内側にある開封予定部１３は、スコア１３ａにより囲まれ、破断除去可能な部位であり、この開封予定部１３に設けたスコア引裂用タブ５に指を掛けて引っ張ると、スコア１３ａを破断して開封予定部１３を除去し開封することが出来る。なお、図１中、５ａは、スコア引裂用タブ５に指を掛ける際のスベリ止めである。一方、開封後の主たるシールは、キャップ本体１０の注出筒１４内に上蓋２０のインナーリング２３が嵌合することによりなされる。すなわち、インナーリング２３の外周面が注出筒１４の内周面に摺接することにより、開封後のシールがなされる。
【００２６】
前記上蓋２０は、天板２１下に外側から内側にかけて順次、側壁２２、インナーリング２３が垂下形成され、側壁２２の一端はヒンジ連結部３０によって開閉自在に連結され、他端には鍔部２５が設けられ、上蓋２０の開閉を容易にしている。さらに、側壁２２の内周面には被係止突条２６が形成され、キャップ本体１０の外側壁１５の係止突条１５ａに係止して、これらの協同により上蓋２０の外れを防ぐと共にゴミなどの侵入を防ぐ。
【００２７】
次に、上記構成になるヒンジキャップ１の利用方法について説明する。
まず、キャップ本体１０に上蓋２０を嵌めた状態のヒンジキャップ１にし、容器２内に液状内容物４を充填し、キャップ本体１０の嵌合部分１７に容器２の口部３をあてがい打栓することで、ヒンジキャップ１により容器２内を密封する（図１参照）。その後、必要に応じてヒンジキャップ１付き容器２を包装して最終製品とする。
【００２８】
最終製品の消費に際しては、まず、少なくともヒンジキャップ１の部分を裸出し、キャップ本体１０から上蓋２０を開ける得る状態にする。手指にて鍔部２５を押し上げれば上蓋２０をキャップ本体１０から容易に開けることができる。さらに、スコア引裂用タブ５に手指を掛けて引っ張れば、スコア１３ａを破断し開封予定部１３を除去して開封出来る。そして、容器２内の液状内容物４を必要量だけキャップ本体１０の注出筒１４から必要容器などに注ぎ込むことが出来る。その液状内容物４を注ぎ終わった後、キャップ本体１０に上蓋２０を被せると、注出筒１４にインナーリング２３が嵌合され、且つ、上蓋２０の側壁２２とキャップ本体１０の外側壁１５との圧接状態が維持されて、容器２内の液状内容物４が漏れないように密封される。以後、容器２内の液状内容物を使い切るまで、上記した同じ動作を繰り返すことになる。
【００２９】
しかしながら、容器２内の液状内容物４の使用時に、液状内容物４を均質にするため上蓋２０を被せたままで容器２を振ったりすると、上蓋２０のインナーリング２３内に液状内容物４が付着することがある。その状態で手指にて鍔部２５を押し上げて上蓋２０を開けると、上蓋保持凸部１９の傾斜面１９ａにより徐々に手指に掛かる負荷が増して行き、上蓋１０の適切な開度、例えば約９０度を自覚して、それ以上開けるのを止めるようになる。したがって、インナーリング２３内に付着している液状内容物４は、延出部２４により案内されて確実に注出筒１４の嘴部１８を経由して容器２内に流れ落ちる。また、上蓋１０を約９０度より大きく無理開けした場合には、液状内容物４がインナーリング２３内及び延出部２４上に留まることになって、外部にこぼれ落ちることはない。
【００３０】
さらに、容器２を回し振りしながら、液状内容物４を均質にしつつ注ぎ出したり、横向きに液状内容物４を注ぎ出したりしても、注出筒１４の上端部１４ａに切欠や穴など無く、平坦に形成されているから、その上端部１４ａを液状内容物４が越えない以上、外部に漏れ出ることがなく、周囲を汚すことも無い。
【００３１】
以上、本発明の実施例１を説明したが、具体的な構成はこれに限定されず、本発明の要旨を逸脱しない範囲での変更は、適宜可能であることが理解されるべきである。
【産業上の利用可能性】
【００３２】
本発明のヒンジキャップは、上蓋内に付着している液状内容物が外部に漏れないことは無論のこと、消費者による多少乱暴な扱いによっても、容器内の液状内容物が外部に漏れず、周囲を汚したくないような場合に、その利用可能性が極めて高くなる。
【符号の説明】
【００３３】
１                        ヒンジキャップ
２                        容器
３、５２                  口部
４                        液状内容物
５                        スコア引裂用タブ
５ａ                      スベリ止め
１０、５３                キャップ本体
１１                      天面
１２                      スカート壁
１３                      開口予定部
１３ａ                    スコア
１４、５０                注出筒
１４ａ                    上端部
１５                      外側壁
１５ａ                    係止突条
１６                      内筒
１７                      嵌合部分
１８                      嘴部
１９                      上蓋保持凸部
１９ａ                    傾斜面
２０、５７                上蓋
２１、５５                天板
２２                      側壁
２３、５６                インナーリング
２４                      延出部
２５                      鍔部
２６                      被係止突条
３０、５４                ヒンジ連結部
５１                      シール筒
５８                      樋片
５９                      縦穴
６０                      係止部
６１                      舌片
６２                      段差部
【図１】
2010173698.tif 000003
【図２】
2010173698.tif 000004
【図３】
2010173698.tif 000005
【図４】
2010173698.tif 000006
【図５】
2010173698.tif 000007
【図６】
2010173698.tif 000008
【図７】
2010173698.tif 000009